【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
液晶表示装置の液晶パネルをその後背部より照明するバックライト装置であって、
前記バックライト装置の光源は発光ダイオードからなり、
前記発光ダイオードは前記液晶パネルの中央部を照明する中央部照明用の発光ダイオードと前記液晶パネルの周囲部を照明する周囲部照明用の発光ダイオードに分割して配置され、
前記中央部照明用の発光ダイオードと周囲部照明用の発光ダイオードの輝度をそれぞれ輝度制御信号により別々に制御する輝度制御回路と、
前記液晶パネルにおけるマウスポインタの位置を示すマウスポインタ位置制御回路を有し、
前記マウスポインタ位置制御回路からのマウスポインタ位置信号により前記輝度制御回路がマウスポインタの位置に基づいて前記中央部照明用の発光ダイオードと前記周囲部照明用の発光ダイオードの輝度を変えるようにしたことを特徴とする液晶表示装置のバックライト装置。
【請求項２】
前記マウスポインタ位置制御回路からのマウスポインタ位置信号により前記輝度制御回路は、マウスポインタが対応する位置の前記中央部照明用の発光ダイオードまたは前記周囲部照明用の発光ダイオードの輝度が、マウスポインタが対応しない位置の前記周囲部照明用の発光ダイオードまたは前記中央部照明用の発光ダイオードの輝度よりも相対的に高くなるように制御することを特徴とする請求項１に記載の液晶表示装置のバックライト装置。
【手続補正２】
【補正対象書類名】明細書
【補正対象項目名】全文
【補正方法】変更
【補正の内容】
【発明の詳細な説明】
【発明の名称】液晶表示装置のバックライト装置
【技術分野】
【０００１】
本発明は、パーソナルコンピュータ等に用いられる液晶表示装置のバックライト装置に関するものである。
【背景技術】
【０００２】
近年、急速にパーソナルコンピュータが普及し、現在では家庭、オフィスでの使用、あるいは屋外にノートパソコンを携帯しての利用などが増加しており、これらの機器における用途、使用方法も様々である。そのため、操作性を落とすことなく省電力を実現することが重要な要素の一つとなる。
【０００３】
図３は従来のパーソナルコンピュータにおける蛍光管を用いた液晶表示装置のバックライト装置である。
【０００４】
図４は従来のパーソナルコンピュータにおけるＬＥＤ（発光ダイオード）を用いた液晶表示装置のバックライト装置である。
【０００５】
図３，４において１１は液晶パネルによるパーソナルコンピュータの文字、画像を表示する液晶表示装置のバックライト装置、１２はバックライト装置の光源である蛍光管、１３はバックライト装置の光源であるＬＥＤ、１４は光源の明るさを制御する輝度制御回路、１５は蛍光管１２，ＬＥＤ１３の輝度を輝度制御回路１４により制御する輝度制御信号である。
【０００６】
従来のパーソナルコンピュータにおける液晶表示装置のバックライト装置では、図３に示すように蛍光管１２により画面の輝度を調整しているため、液晶輝度を操作する際には画面全体の輝度が変化してしまう。
【０００７】
また、図４に示すように従来のＬＥＤ１３による液晶表示装置のバックライト装置においても、一般にＬＥＤ１３全体の輝度を一定に制御するため、使用環境においてユーザーが画面全体の輝度を調整することになる。
一方、特許文献１には、表示パネルの表示の多様性を向上させるために、特定位置のバックライト用のＬＥＤの発光輝度を他の位置のＬＥＤの発光輝度と異ならせるようにしたものが記載されているが、これはパーソナルコンピュータのようにマウスポインタを有するものとは異なる。
【特許文献１】特開２００４−２１２５０３号公報
【発明の開示】
【発明が解決しようとする課題】
【０００８】
しかしながら上記の従来のパーソナルコンピュータの構成では、液晶表示装置のバックライト装置の輝度を変更するためには蛍光管やＬＥＤ全体を制御する必要がある。そのため輝度制御による省電力状態では、液晶表示装置の表示全体が暗くなり、操作性が悪くなってしまうという課題を有していた。
【０００９】
本発明は上記従来の問題を解決するもので、液晶表示装置のバックライト装置内部のＬＥＤ輝度制御を中央部、周囲部などに分割し、必要箇所の輝度を任意に制御することを可能とし、液晶表示装置の必要箇所輝度を保持しつつ省電力動作が可能なパーソナルコンピュータの液晶表示装置を提供することを目的とする。
【課題を解決するための手段】
【００１０】
上記課題を解決するために本発明は、パーソナルコンピュータの液晶表示装置のバックライト装置内部のＬＥＤを中央部、周囲部と分割しそれぞれ個別の輝度制御信号を用いることで各部位の輝度を任意に制御することができる特徴を持った液晶表示装置のバックライト装置である。
【発明の効果】
【００１１】
以上のように液晶表示装置のバックライト装置内部のＬＥＤ制御を各部位の輝度制御信号に分けることで、液晶表示装置の中央部の輝度を一定に保ちながら周囲の輝度を低く調整することができ、高い操作性を維持しつつ、ＬＥＤ消費電力を抑えた省電力モードを可能とする優れた効果が得られる。
【００１２】
また、マウスポインタの位置を示す信号に基づいて、マウスポインタ位置のＬＥＤ輝度を制御することでマウスポインタ周辺の輝度を上げることで、同様に高い操作性を維持しつつ、ＬＥＤ消費電力を抑えた省電力モードを可能とする優れた効果が得られる。
【発明を実施するための最良の形態】
【００１３】
以下、本発明の実施の形態について、図１および図２を用いて説明する。
【００１４】
（実施の形態１）
図１は本発明の実施の形態１におけるＬＥＤ輝度制御を中央部、周囲部に分割したパーソナルコンピュータの液晶表示装置のバックライト装置の図である。
【００１５】
図１において１１は液晶パネルによるパーソナルコンピュータの文字、画像を表示する液晶表示装置のバックライト装置、１４は光源であるＬＥＤの明るさを制御する輝度制御回路、１５はＬＥＤの輝度を輝度制御回路１４により制御する輝度制御信号である。１６はバックライト装置における中央部ＬＥＤ、１７、１８は周囲部ＬＥＤである。
【００１６】
中央部、周囲部それぞれの部位に対応するＬＥＤ輝度制御信号１５を備えることでユーザーの意図した箇所の液晶表示装置の輝度を輝度制御回路１４により調整することができる。つまり省電力モードでは中央部のＬＥＤの輝度制御信号として輝度上昇の信号を与えることで中央部輝度のみを高くすることができる。また逆に周囲部ＬＥＤの輝度制御信号として輝度低下の信号を与えることで中央部の輝度を保持したまま省電力化することができる。
【００１７】
以上のように本実施の形態によれば、液晶表示装置のバックライト装置内部のＬＥＤ制御を各部位の輝度制御信号に分けることで、中央部の輝度を一定に保ちながら周囲の輝度を低く調整することができ、高い操作性を維持しつつ、ＬＥＤ消費電力を抑えた省電力モードを可能とする。
【００１８】
なお、本実施の形態では光源であるＬＥＤをバックライト装置の中央部と周囲部に分けて説明したがこれに限るものではなく、上部、中央部、下部、又は左部、中央部、右部、またはこれらの組み合わせであってもよいし、さらに碁盤目状に細かく分割してもよいことは言うまでもない。
【００１９】
（実施の形態２）
図２は本発明の実施の形態２におけるマウスポインタ位置のＬＥＤ輝度を選択制御することのできる液晶表示装置のバックライト装置の図である。
【００２０】
図２において１９はマウスポインタの位置を示すマウスポインタ位置制御回路である。他の符号は図１と同様であり説明は省略する。
【００２１】
マウスポインタ位置制御回路１９からのマウスポインタの位置を示す信号により輝度制御回路１４が制御され、その輝度制御回路１４からの輝度制御信号１５に基づいてマウスポインタが対応する部位のＬＥＤの輝度を制御する。マウスポインタ位置制御回路１９からのマウスポインタ位置信号だけでなく、タッチパネル型の液晶表示装置ではタッチスクリーン操作部制御信号を用いることで、タッチスクリーン操作部の輝度を任意に調整することも可能である。
【００２２】
また、各部位のＬＥＤをより細かいブロックまたはＬＥＤ一つ一つに輝度制御信号を接続することで輝度制御を細かい表示部分に分けて制御することも可能である。
【００２３】
以上のように本実施の形態によれば、マウスポインタの位置を示す信号に基づいて、マウスポインタ位置のＬＥＤ輝度を制御し、マウスポインタが対応する部位のＬＥＤ輝度が他の部位のＬＥＤ輝度よりも高くなるようにすることで、高い操作性を維持しつつ、ＬＥＤ消費電力を抑えた省電力モードを可能とする。
【産業上の利用可能性】
【００２４】
本発明にかかる液晶表示装置のバックライト装置は、バックライト装置内部のＬＥＤ制御を各部位の輝度制御信号に分けることで、中央部の輝度を一定に保ちながら周囲の輝度を低く調整することができ、高い操作性を維持しつつ、ＬＥＤ消費電力を抑えた省電力モードを可能とする効果を有し、パーソナルコンピュータ等に用いられる液晶表示装置のバックライト装置として有用である。
【図面の簡単な説明】
【００２５】
【図１】実施の形態１におけるＬＥＤ輝度制御を中央部、周囲部に分割した液晶表示装置のバックライト装置の図
【図２】実施の形態２におけるマウスポインタ位置のＬＥＤ輝度を制御する液晶表示装置のバックライト装置の図
【図３】従来のパーソナルコンピュータにおける蛍光管を用いた液晶表示装置のバックライト装置の図
【図４】従来のパーソナルコンピュータにおけるＬＥＤ（発光ダイオード）を用いた液晶表示装置のバックライト装置の図
【符号の説明】
【００２６】
１１  液晶表示装置のバックライト装置
１２  蛍光管
１３  ＬＥＤ
１４  輝度制御回路
１５  輝度制御信号
１６  表示装置中央部ＬＥＤ
１７  表示装置周囲部ＬＥＤ
１８  表示装置周囲部ＬＥＤ
１９  マウスポインタ位置制御回路